(57)【要約】【課題】製造効率を向上できる、屋上換気扇、及び、屋上換気扇の製造方法を、提供する。【解決手段】本発明の屋上換気扇１は、筒状のダクト１０と、ダクトの内部に配置された、ファン１１と、ファンを駆動するように構成された、モータ１２と、ダクトに設けられ、モータを支持するように構成された、モータ支持部１７と、を備えた、屋上換気扇であって、モータ支持部は、網状のガードネット部１７１と、ガードネット部の線部の幅よりも大きな幅を有するとともに略径方向に延在する、アーム部１７２と、を有しており、ガードネット部及びアーム部は、一枚板から構成されており、かつ、同一平面上にある。【選択図】図６
2020165546.tif 000002
【特許請求の範囲】
【請求項１】
筒状のダクトと、
前記ダクトの内部に配置された、ファンと、
前記ファンを駆動するように構成された、モータと、
前記ダクトに設けられ、前記モータを支持するように構成された、モータ支持部と、
を備えた、屋上換気扇であって、
前記モータ支持部は、
網状のガードネット部と、
前記ガードネット部の線部の幅よりも大きな幅を有するとともに略径方向に延在する、アーム部と、
を有しており、
前記ガードネット部及び前記アーム部は、一枚板から構成されており、かつ、同一平面上にある、屋上換気扇。
【請求項２】
前記屋上換気扇を屋根に取り付けるための取付枠部を、さらに備え、
前記ガードネット部、前記アーム部、及び前記取付枠部は、一枚板から構成されている、請求項１に記載の屋上換気扇。
【請求項３】
前記ダクトは、円筒形状であり、
前記ガードネット部の外縁は、円形であり、
前記ガードネット部は、前記線部として、
略径方向に延在する複数の第１線部と、
周方向に延在する１つ又は複数の第２線部と、
を有しており、
前記ガードネット部は、前記第１線部及び前記第２線部により少なくとも一部が区画された複数の貫通穴を有している、請求項１又は２に記載の屋上換気扇。
【請求項４】
前記ガードネット部は、前記第２線部を１つのみ有し、
前記複数の貫通穴のうち、前記第２線部より内周側に位置する貫通穴の数は、前記複数の貫通穴のうち、前記第２線部より外周側に位置する貫通穴の数よりも、少ない、請求項３に記載の屋上換気扇。
【請求項５】
前記アーム部に立設されたリブを、さらに備えた、請求項１〜４のいずれか一項に記載の屋上換気扇。
【請求項６】
請求項１〜５のいずれか一項に記載の屋上換気扇を得るための、屋上換気扇の製造方法であって、
一枚板にレーザ加工又はタレットパンチングプレス加工を施すことにより前記一枚板に複数の貫通穴を形成し、それにより、前記ガードネット部及び前記アーム部を形成する、屋上換気扇の製造方法。
【発明の詳細な説明】
【技術分野】
【０００１】
本発明は、屋上換気扇、及び、屋上換気扇の製造方法に関する。
【背景技術】
【０００２】
従来の屋上換気扇として、モータが取り付けられたアーム（架台）とガードネットとが、互いに別体にて構成されており、アームが内周側に向うにつれて上側へ延在しており、アームとガードネットとが互いに溶接により固定されているものがある（例えば、特許文献１）。このような屋上換気扇において、ガードネットは、一般的に、複数の金属製の線状部材（例えば鋼線）どうしが格子状に組まれて溶接されることにより製造される。
【先行技術文献】
【特許文献】
【０００３】
【特許文献１】実公昭５３−５０２８７号公報
【発明の概要】
【発明が解決しようとする課題】
【０００４】
しかしながら、上記従来の屋上換気扇においては、製造効率に関し、向上の余地があった。
【０００５】
本発明は、製造効率を向上できる、屋上換気扇、及び、屋上換気扇の製造方法を、提供することを目的とする。
【課題を解決するための手段】
【０００６】
本発明の屋上換気扇は、
筒状のダクトと、
前記ダクトの内部に配置された、ファンと、
前記ファンを駆動するように構成された、モータと、
前記ダクトに設けられ、前記モータを支持するように構成された、モータ支持部と、
を備えた、屋上換気扇であって、
前記モータ支持部は、
網状のガードネット部と、
前記ガードネット部の線部の幅よりも大きな幅を有するとともに略径方向に延在する、アーム部と、
を有しており、
前記ガードネット部及び前記アーム部は、一枚板から構成されており、かつ、同一平面上にある。
【０００７】
本発明の屋上換気扇において、
前記屋上換気扇を屋根に取り付けるための取付枠部を、さらに備え、
前記ガードネット部、前記アーム部、及び前記取付枠部は、一枚板から構成されていると、好適である。
【０００８】
本発明の屋上換気扇において、
前記ダクトは、円筒形状であり、
前記ガードネット部の外縁は、円形であり、
前記ガードネット部は、前記線部として、
略径方向に延在する複数の第１線部と、
周方向に延在する１つ又は複数の第２線部と、
を有しており、
前記ガードネット部は、前記第１線部及び前記第２線部により少なくとも一部が区画された複数の貫通穴を有していると、好適である。
【０００９】
本発明の屋上換気扇において、
前記ガードネット部は、前記第２線部を１つのみ有し、
前記複数の貫通穴のうち、前記第２線部より内周側に位置する貫通穴の数は、前記複数の貫通穴のうち、前記第２線部より外周側に位置する貫通穴の数よりも、少ないと、好適である。
【００１０】
本発明の屋上換気扇において、
前記アーム部に立設されたリブを、さらに備えていると、好適である。
【００１１】
本発明の屋上換気扇の製造方法は、
上記の屋上換気扇を得るための、屋上換気扇の製造方法であって、
一枚板にレーザ加工又はタレットパンチングプレス加工を施すことにより前記一枚板に複数の貫通穴を形成し、それにより、前記ガードネット部及び前記アーム部を形成する。
【発明の効果】
【００１２】
本発明によれば、製造効率を向上できる、屋上換気扇、及び、屋上換気扇の製造方法を、提供することができる。
【図面の簡単な説明】
【００１３】
【図１】本発明の一実施形態に係る屋上換気扇をブレードが開放した状態で示す、斜視図である。
【図２】ブレードが閉鎖した状態における図１の屋上換気扇を、図１のＡ−Ａ線に沿う断面により示す、Ａ−Ａ断面図である。
【図３】ブレードが開放した状態における図１の屋上換気扇を、図１のＡ−Ａ線に沿う断面により示す、Ａ−Ａ断面図である。
【図４】ブレードが開放した状態における図１の屋上換気扇を、軸線方向断面と共に示す、斜視図である。
【図５】図１の屋上換気扇の取付枠部材及びその周辺部分を、取付枠部材の上側から観た様子を示す、斜視図である。
【図６】図５の取付枠部材及びその周辺部分を、取付枠部材の下側から観た様子を示す、斜視図である。
【図７】図１の屋上換気扇の取付枠部材を単独で示しており、取付枠部材を上側から観た様子を示す、斜視図である。
【図８】図７の取付枠部材を下側から観た様子を示す、斜視図である。
【図９】本発明の第１変形例に係る屋上換気扇の取付枠部材を単独で示しており、取付枠部材を上側から観た様子を示す、斜視図である。
【図１０】本発明の第２変形例に係る屋上換気扇の取付枠部材を単独で示しており、取付枠部材を上側から観た様子を示す、斜視図である。
【発明を実施するための形態】
【００１４】
本発明の屋上換気扇は、工場や倉庫等の任意の建物の屋根の上に設置されるのに好適なものである。
以下、本発明に係る屋上換気扇、及び、屋上換気扇の製造方法の実施形態について、図面を参照しながら例示説明する。
各図において共通する構成要素には同一の符号を付している。
【００１５】
図１〜図８は、本発明の一実施形態に係る屋上換気扇１を説明するための図面である。図１は、本実施形態に係る屋上換気扇１を示している。本実施形態の屋上換気扇１は、工場や倉庫等の任意の建物の屋根の上に設置され、当該建物の換気のために好適に使用することができるものである。
図１に示すように、本実施形態の屋上換気扇１は、ダクト１０と、ファン１１と、モータ１２と、ブレード１３と、天蓋１４と、ブレード支持部１５と、モータ支持部１７と、取付枠部１８と、リブ１９と、支柱２０と、吊フック２１と、フランジ２２と、受け部材２３と、を備えている。モータ支持部１７と取付枠部１８とは、取付枠部材１６を構成している。
図２は、ブレード１３が閉鎖した状態における図１の屋上換気扇１を、図１のＡ−Ａ線に沿う断面により示している。図３は、ブレード１３が開放した状態における図１の屋上換気扇１を、図１のＡ−Ａ線に沿う断面により示している。図１のＡ−Ａ線は、屋上換気扇１の中心軸線Ｏを通っている。図４は、ブレード１３が開放した状態における図１の屋上換気扇１を、軸線方向断面と共に示している。なお、図４に示す軸線方向断面は、中心軸線Ｏよりも径方向外側に位置している。図５は、図１の屋上換気扇１の取付枠部材１６及びその周辺部分を、取付枠部材１６の上側から観た様子を示している。図６は、図５の取付枠部材１６及びその周辺部分を、取付枠部材１６の下側から観た様子を示している。図７は、図１の屋上換気扇１の取付枠部材１６を単独で示しており、取付枠部材１６を上側から観た様子を示している。図８は、図７の取付枠部材１６を下側から観た様子を示している。
【００１６】
ダクト１０は、筒状に構成されている。図の例において、ダクト１０は、円筒形状である。ダクト１０は、金属から構成されると好適であり、ステンレス鋼又はアルミニウム合金から構成されるとより好適である。
【００１７】
なお、本明細書において、「軸線方向」とは、特に断りが無い限り、屋上換気扇１の軸線方向を指すものとし、屋上換気扇１の軸線方向は、屋上換気扇１の中心軸線Ｏに平行な方向を指す。屋上換気扇１の「中心軸線Ｏ」（以下、単に「中心軸線Ｏ」ともいう。）は、ダクト１０の中心軸線である。また、「軸直方向」とは、屋上換気扇１の軸線方向に対し垂直な方向を指す。また、「径方向」、「周方向」、「内周側」、「外周側」とは、特に断りが無い限り、屋上換気扇１の中心軸線Ｏを中心とする径方向、周方向、内周側、外周側をそれぞれ指すものとする。また、「上」、「下」とは、鉛直方向の上、下をそれぞれ指すものとする。
屋上換気扇１は、中心軸線Ｏが鉛直方向に延在した状態で、建物の屋根の上に設置されると好適である。
【００１８】
ファン１１は、ダクト１０の内部に配置されている。図４に示すように、ファン１１は、周方向一方側Ｃ１に回転されることで上側へ送風することが可能に構成されている。本明細書において、「周方向一方側（Ｃ１）」は、ファン１１の回転方向ＲＤと一致している。「周方向他方側（Ｃ２）」は、周方向一方側Ｃ１とは反対の方向を指す。ファン１１は、軸流ファンであると好適である。ファン１１の回転軸線は、軸線方向に延在している。図２に示すように、ファン１１の回転軸線は、屋上換気扇１の中心軸線Ｏ上を延在していると、好適である。
【００１９】
モータ１２は、ファン１１を駆動するように構成されている。図２に示すように、ファン１１は、モータ１２の出力軸１２１に固定されている。モータ１２の出力軸１２１は、軸線方向に延在している。図２に示すように、モータ１２の出力軸１２１の回転軸線は、屋上換気扇１の中心軸線Ｏ上を延在していると、好適である。図の例において、モータ１２は、ファン１１の下側に位置しており、その出力軸１２１の先端が上側を向いている。ただし、モータ１２は、ファン１１の上側に位置し、その出力軸１２１の先端が下側を向いていてもよい。
図２に示すように、モータ１２は、その本体部分から外周側へ延在する延出部１２ｆを有している。延出部１２ｆには、周方向に沿って配列された複数（図の例では４つ）の締結穴１２ｈが形成されている。モータ１２の複数の締結穴１２ｈは、それぞれ上下方向に延在している。
【００２０】
モータ支持部１７は、ダクト１０に設けられており、図の例においては、ダクト１０の下端部に設けられている。モータ支持部１７は、モータ１２を支持するように構成されている。モータ支持部１７は、金属から構成されると好適であり、ステンレス鋼又はアルミニウム合金から構成されるとより好適である。モータ支持部１７は、図の例において、中心軸線Ｏの近傍に配置され環状に構成された中央環状部１７３と、網状のガードネット部１７１と、１つ又は複数のアーム部１７２と、を有している（図４〜図８）。ガードネット部１７１は、空気の通過を許容しつつ、屋上換気扇１のメンテナンス時にファン１１やモータ１２等の部品がダクト１０の下側へ落下するのを防止する機能を有する。
【００２１】
図４〜図８に示すように、中央環状部１７３は、その内周縁により、上下方向に貫通する中央穴１７３ｈを区画している。屋上換気扇１の中心軸線Ｏは、中央環状部１７３の中央穴１７３ｈを通っている。中央環状部１７３の中央穴１７３ｈには、モータ１２の本体部分が挿入されており、中央環状部１７３の上には、中央穴１７３ｈよりも外周側において、モータ１２の延出部１２ｆが載置されている。モータ１２は、中央環状部１７３にボルト締結されている。より具体的には、図の例において、中央環状部１７３は、中央穴１７３ｈよりも外周側において、周方向に沿って配列された複数（図の例では４つ）の締結穴１７ｈを有している（図７〜図８）。中央環状部１７３の複数の締結穴１７ｈは、それぞれ上下方向に延在している。モータ１２の各締結穴１２ｈは、中央環状部１７３の各締結穴１７ｈの上に配置されている。そして、ボルトＢが、モータ１２の締結穴１２ｈと中央環状部１７３の締結穴１７ｈとに挿入され、ボルトＢの頭部の反対側から挿入されるナットＮに締め付けられることにより、モータ１２が中央環状部１７３にボルト締結されている（図２、図５〜図６）。ただし、モータ１２は、図の例とは異なる方法で、中央環状部１７３にボルト締結されていてもよい。
図の例において、中央環状部１７３の外周端は、略円形をなしている。
【００２２】
図４に示すように、ガードネット部１７１は、中央環状部１７３の外周端からダクト１０までにわたる環状領域内に配置されている。図の例において、ガードネット部１７１の外縁部（外周端部）１７１ｏは円形をなしており、言い換えれば、ガードネット部１７１の複数の貫通穴１７１ｈのうち最も外周側の貫通穴１７１ｈのそれぞれの外周端が共通の円形に沿って形成されている。ガードネット部１７１の外縁１７１ｏの直径は、ダクト１０の直径と、ほぼ同じである。ダクト１０の下端は、ガードネット部１７１の外縁１７１ｏに対し、溶接等により固定されている。
ここで、ガードネット部１７１の「外縁（１７１ｏ）」は、ガードネット部１７１の複数の貫通穴１７１ｈのうち最も外周側の貫通穴１７１ｈのそれぞれの外周端上を延在する環状部を指す。
ガードネット部１７１は、網状に延在する線部１７１ｗ１、１７１ｗ２と、線部１７１ｗ１、１７１ｗ２によって少なくとも一部が区画された複数の貫通穴１７１ｈとを、有している。ガードネット部１７１に設けられた複数の貫通穴１７１ｈのうち最も内周側に位置する貫通穴１７１ｈは、中央環状部１７３によってもその一部が区画されている。また、ガードネット部１７１に設けられた複数の貫通穴１７１ｈのうち一部の貫通穴１７１ｈは、アーム部１７２によってもその一部が区画されている。また、ガードネット部１７１に設けられた複数の貫通穴１７１ｈのうち最も外周側に位置する貫通穴１７１ｈは、後述する取付枠部１８の平壁部１８１によってもその一部が区画されている。また、言い換えれば、ガードネット部１７１及びアーム部１７２は、複数の貫通穴１７１ｈによって区画されている。
【００２３】
アーム部１７２は、それぞれ、ガードネット部１７１の平面視においてガードネット部１７１の線部１７１ｗ１、１７１ｗ２の幅Ｗ１（図７）よりも大きな幅Ｗ２（図７）を有するとともに、略径方向に延在している。図の例において、モータ支持部１７は、アーム部１７２を４つ有している。これらのアーム部１７２は、周方向に沿って配列されている。アーム部１７２は、それぞれ、中央環状部１７３の外周端からガードネット部１７１の外縁１７１ｏの径方向位置までにわたって延在している。ガードネット部１７１の平面視において、中央環状部１７３は、その全周にわたって、ガードネット部１７１の線部１７１ｗ１、１７１ｗ２の幅Ｗ１（図７）よりも大きな幅Ｗ３（図７）を有している。アーム部１７２が設けられることにより、モータ支持部１７の強度を向上できる。
なお、線部１７１ｗ１、１７１ｗ２、アーム部１７２、中央環状部１７３の「幅（Ｗ１、Ｗ２、Ｗ３）」（図７）は、それぞれ、ガードネット部１７１の平面視における、それぞれの延在方向に対し垂直な方向の幅を指す。
【００２４】
図の例において、ガードネット部１７１とアーム部１７２とは、金属製の一枚板で構成されており、その全体が、軸直方向に沿った平面状に構成されている。
また、図の例において、モータ支持部１７は、金属製の一枚板で構成されており、その全体が、軸直方向に沿った平面状に構成されている。言い換えれば、中央環状部１７３と、ガードネット部１７１と、アーム部１７２とが、一枚板で構成されており、かつ、軸直方向に平行な同一平面上にある。
【００２５】
取付枠部１８は、屋上換気扇１を取付枠部１８によって建物の屋根に取り付けられるように構成されている。取付枠部１８は、金属から構成されると好適であり、ステンレス鋼又はアルミニウム合金から構成されるとより好適である。図７〜図８に示すように、取付枠部１８は、ガードネット部１７１の外縁１７１ｏから外周側へ軸直方向に延在する平壁部１８１と、平壁部１８１の外周端から下側へ延在する側壁部１８２と、を有しており、それにより、枠状に構成されている。側壁部１８２は、平壁部１８１に対して下側へ折り曲げられて（屈曲して）いる。平壁部１８１の外縁は、四角形状である。
【００２６】
図の例において、ガードネット部１７１とアーム部１７２と取付枠部１８とは、金属製の一枚板で構成されている。
また、図の例において、モータ支持部１７と取付枠部１８とは、取付枠部材１６を構成している。取付枠部材１６は、金属製の一枚板で構成されている。取付枠部材１６は、ステンレス鋼又はアルミニウム合金から構成されると好適である。
また、図の例において、モータ支持部１７と取付枠部１８の平壁部１８１とは、軸直方向に沿った平面状に構成されている。言い換えれば、モータ支持部１７（中央環状部１７３、ガードネット部１７１、及びアーム部１７２）と取付枠部１８の平壁部１８１とが、軸直方向に平行な同一平面上にある。
【００２７】
なお、本実施形態の屋上換気扇１の製造時において、取付枠部材１６を製造するにあたっては、まず、平坦な金属製の一枚板にレーザ加工又はタレットパンチングプレス加工を施すことにより当該一枚板に複数の貫通穴１７１ｈを形成し、それにより、ガードネット部１７１及びアーム部１７２を形成することが好ましい。この際に、レーザ加工又はタレットパンチングプレス加工により、中央穴１７３ｈや締結穴１７ｈをも形成し、それにより、中央環状部１７３を形成すると、好適である。これにより、モータ支持部１７が形成される。その後、上記一枚板のうち取付枠部１８の側壁部１８２を構成する外周端部を、取付枠部１８の平壁部１８１に対して垂直に折り曲げることにより、取付枠部１８を形成する。この際、取付枠部１８の側壁部１８２の４隅を溶接してもよい。このようにして、取付枠部材１６を得ることができる。その後、取付枠部材１６を他の部品と組み付けることにより、屋上換気扇１を得ることができる。
【００２８】
各アーム部１７２の上面には、それぞれ、板状のリブ１９が立設されている（図５）。リブ１９は、金属製である。リブ１９は、アーム部１７２の上面に溶接により固定されている。また、リブ１９の外周端１９ｏは、ダクト１０の内周面に溶接により固定されている。
【００２９】
ダクト１０には、軸直方向に延在するブレード支持部１５が設けられている。図の例において、ブレード支持部１５は、ファン１１に対する上側において、ダクト１０の上端部に配置されている。また、ブレード支持部１５は、複数（図の例では４つ）の板状のビーム部１５１を有しており、これらのビーム部１５１は、それぞれ、ダクト１０から内周側へ向かって、軸直方向の平面内において略径方向に沿って延在し、中心軸線Ｏ上で互いに連結している（図４）。
ただし、ブレード支持部１５は、軸直方向の平面内において任意の方向に延在してよい。
【００３０】
ブレード１３は、金属から構成されると好適であり、アルミニウム合金から構成されるとより好適である。ブレード１３は、ファン１１に対する上側に配置されている。図の例において、ブレード１３は４枚設けられているが、ブレード１３は、２枚のみ、３枚のみ又は５枚以上設けられていてもよく、３枚以上設けられると好適である。これらのブレード１３は、シャッターを構成している。図の例において、これらのブレード１３は、周方向に沿って配列されている。図４に示すように、各ブレード１３は、それぞれ、中心軸線Ｏに向かって先細った略扇形をなしている。各ブレード１３は、それぞれの略径方向に延在する周方向他方側Ｃ２の部分が軸直方向の平面内において略径方向に沿ってブレード支持部１５のビーム部１５１に対し蝶番Ｈで固定されており、それにより、それぞれの周方向一方側Ｃ１の部分や外周側の部分が開閉可能にされている。各ブレード１３は、閉鎖した状態において、軸直方向に沿って平面状に延在した状態となる（図２）。
ここで、「軸直方向の平面内において略径方向に沿って」とは、軸直方向に交差する方向に沿うこと（例えば、上側へ向かいつつ中心軸線Ｏに向かって略径方向に沿うこと）を除く趣旨である。
ただし、各ブレード１３は、図の例に限らず、任意の方向に沿ってブレード支持部１５に対し蝶番Ｈにより固定されていてよい。
【００３１】
ダクト１０の上端には、ダクト１０の上端から外周側へ延在するフランジ２２が設けられている。
ブレード支持部１５のビーム部１５１とフランジ２２とのそれぞれの上面には、ブレード１３の周方向一方側Ｃ１の部分及び外周側の部分を受けるように構成された受け部材２３（図４）が設けられている。ブレード１３が閉鎖した状態（図２）においては、ブレード１３の周方向一方側Ｃ１の部分及び外周側の部分は、受け部材２３の上に載るようにされている。受け部材２３は、ゴムで構成されると好適である。受け部材２３を設けることにより、受け部材２３がクッション材として機能し、ブレード１３の閉鎖時の音や衝撃を緩和することができる。
フランジ２２には、周方向に沿って配列された複数（図の例では４つ）の貫通穴２２ｈが設けられている。各貫通穴２２ｈには、それぞれ、軸線方向に延在する支柱２０の下端部が挿入されている（図２）。各支柱２０の下端部は、フランジ２２の上側及び下側のそれぞれからナットＮが締め付けられることによって、フランジ２２に固定されている。
【００３２】
天蓋１４は、各ブレード１３の上側を覆うように構成されている。天蓋１４は、各ブレード１３の上側に位置し軸直方向に延在する上壁部１４１と、上壁部１４１の外周端から連続し、下側へ向かうにつれて徐々に拡径する、周壁部１４２と、を有している（図２）。天蓋１４の上壁部１４１には、周方向に沿って配列された複数（図の例では４つ）の貫通穴１４ｈ（図２）が設けられている。各貫通穴１４ｈには、それぞれ、支柱２０の上端部が挿入されている。各支柱２０の上端部は、天蓋１４の上壁部１４１の下側からナットＮが締め付けられることによって、天蓋１４の上壁部１４１に固定されている。ダクト１０の上端と天蓋１４の上壁部１４１との間の軸線方向距離は、支柱２０によって維持されている。また、各支柱２０の上端部には、天蓋１４の上壁部１４１より上側において、吊フック２１が取り付けられている。
【００３３】
上述のように構成された屋上換気扇１においては、モータ１２が作動していない間は、ブレード１３は閉鎖状態となる（図２）。一方、モータ１２が起動されると、ファン１１が周方向一方側Ｃ１へ回転されることによって、下側のガードネット部１７１の貫通穴１７１ｈを介して空気を吸い上げて上側へと送風する。すると、各ブレード１３は、ファン１１からの風圧によって蝶番Ｈの周りで回転されて、それぞれの周方向一方側の部分及び外周側の部分が上側へと開放することにより、開放状態となる（図３、図４）。それにより、ファン１１から吐出された風がダクト１０を出て、各ブレード１３の下面によって案内された後、さらに、天蓋１４によって下側へ案内され、天蓋１４の外部へと出る。このようにして、屋内から屋外への排気が行われる。その後、モータ１２が停止されると、ファン１１も停止し、それにより、各ブレード１３は自重により閉鎖状態へと戻る。これにより、外風や埃等の異物が屋外から屋内に侵入するのが防止される。
【００３４】
本実施形態においては、上述のように、ガードネット部１７１及びアーム部１７２は、一枚板から構成されており、かつ、同一平面上にある。これにより、レーザ加工又はタレットパンチングプレス加工によって一枚板に複数の貫通穴１７１ｈを形成するだけで、１工程で、簡単に、ガードネット部１７１及びアーム部１７２を形成することができる。よって、上述の従来の屋上換気扇のように、仮に、ガードネット部１７１とアーム部１７２とが互いに別体（別部品）からなるとともに互いに溶接されており、また、ガードネット部１７１が複数の金属製の線状部材どうしを溶接することにより製造される場合に比べて、屋上換気扇１の製造工程数（特に、溶接工程数）や部品点数を低減でき、屋上換気扇１の製造効率を大きく向上することができる。
また、本実施形態においては、ガードネット部１７１及びアーム部１７２は、一枚板から構成されており、かつ、同一平面上にあるため、上述の従来の屋上換気扇のように、仮に、ガードネット部１７１とアーム部１７２とが互いに別体（別部品）からなるとともにモータ１２がアーム部１７２のみに取り付けられている（すなわち、アーム部１７２のみがモータ支持部１７を構成している）場合に比べて、モータ支持部１７の強度を向上できる。それにより、モータ１２の駆動時に生じる振動を抑制することができる。また、仮にモータ支持部１７の板厚を低減し、それにより材料コストを低減しても、モータ支持部１７の強度を十分に確保することができる。
また、本実施形態においては、ガードネット部１７１及びアーム部１７２は、同一平面上にあるため、上述の従来の屋上換気扇のように、仮に、アーム部１７２が軸直方向に交差する方向に延在し、モータ１２がアーム部１７２に取り付けられている場合に比べて、屋上換気扇１の軸線方向の全長を低減することができる。それにより、外風を受ける際の屋上換気扇１の外風方向の投影面積が低下し、外風を受けたときに屋上換気扇１に掛かるモーメント力を低減できるので、屋上換気扇１の耐久性を向上でき、また、仮に屋上換気扇１の部品（例えば取付枠部材１６）の板厚を低減しても十分な耐久性を確保することが可能となる。また、屋上換気扇１の軸線方向の全長を低減できるので、屋上換気扇１のコストや重量を低減できる。
また、本実施形態においては、レーザ加工又はタレットパンチングプレス加工によって一枚板に複数の貫通穴１７１ｈを形成するだけで、ガードネット部１７１及びアーム部１７２を形成することができるので、貫通穴１７１ｈの位置、形状、大きさを簡単に設計及び形成することができる。よって、ガードネット部１７１及びアーム部１７２（ひいてはモータ支持部１７）の設計自由度を向上できる。また、ガードネット部１７１及びアーム部１７２の形成にあたって溶接工程が不要となるので、その分、溶接により生じ得る形状の歪みを抑制でき、ガードネット部１７１及びアーム部１７２の寸法精度を向上できる。
【００３５】
また、本実施形態においては、上述のように、ガードネット部１７１及びアーム部１７２だけでなく、中央環状部１７３をも含む、モータ支持部１７の全体が、一枚板から構成されており、かつ、同一平面上にある。これにより、レーザ加工又はタレットパンチングプレス加工によって、一枚板に、複数の貫通穴１７１ｈ、中央穴１７３ｈ、及び締結穴１７ｈを形成するだけで、１工程で、簡単に、モータ支持部１７を形成することができる。これにより、屋上換気扇１の製造効率を大きく向上することができ、また、モータ支持部１７の強度を向上できるので、モータ１２の駆動時に生じる振動を抑制することができる。
また、モータ１２の本体部分が挿入される中央環状部１７３がガードネット部１７１と同じ平面上にあることから、モータ１２と重複する軸線方向位置に（すなわち、モータ１２の外周側に）ガードネット部１７１を配置することができる。よって、仮にモータ１２の全体がガードネット部１７１よりも上側に配置される場合に比べて、屋上換気扇１の軸線方向の全長を低減することができる。
【００３６】
また、本実施形態においては、上述のように、ガードネット部１７１及びアーム部１７２と取付枠部１８とが、一枚板から構成されている。これにより、仮にガードネット部１７１及びアーム部１７２と取付枠部１８とを別部品で構成した場合に比べて、屋上換気扇１の製造工程数（特に、溶接工程数）や部品点数を低減でき、屋上換気扇１の製造効率を向上することができる。
また、本実施形態においては、上述のように、モータ支持部１７（ひいては、ガードネット部１７１、アーム部１７２、及び中央環状部１７３）と取付枠部１８とが、一枚板から構成されている。これにより、仮にモータ支持部１７と取付枠部１８とを別部品で構成した場合に比べて、屋上換気扇１の製造工程数（特に、溶接工程数）や部品点数を低減でき、屋上換気扇１の製造効率を向上することができる。
ただし、モータ支持部１７と取付枠部１８とは、それぞれ別部品から構成されてもよく、その場合、モータ支持部１７と取付枠部１８とは、互いに溶接等により固定されていてもよいし、かつ／又は、それぞれダクト１０に対し溶接等により固定されていてもよい。また、モータ支持部１７と取付枠部１８とがそれぞれ別部品から構成される場合、モータ支持部１７は、ダクト１０の下端よりも上側に配置されていてもよい。
【００３７】
なお、本実施形態では、図５〜図８に示すように、アーム部１７２が、モータ１２を締結するための、モータ支持部１７の締結穴１７ｈと同じ周方向位置に配置されている。しかし、アーム部１７２は、図９に示す第１変形例のように、モータ支持部１７の締結穴１７ｈとは異なる周方向位置に配置されていてもよい。この場合でも、アーム部１７２によってモータ支持部１７の強度を向上することができる。
また、図示は省略するが、モータ１２を締結するための、モータ支持部１７の締結穴１７ｈは、中央環状部１７３に設けられる代わりに、アーム部１７２に設けられていてもよい。その場合、モータ１２の延出部１２ｆは、アーム部１７２の上に載るように構成される。
【００３８】
本実施形態においては、上述のように、ダクト１０は円筒形状であり、ガードネット部１７１の外縁１７１ｏは、円形である。このように、ダクト１０とガードネット部１７１との軸直方向断面の形状を合わせることにより、圧力損失を低減できるとともにダクト１０内の通気量を最大化できるので、排気効率を向上できる。また、ダクト１０が円筒形状であることにより、仮にダクト１０が四角筒形状である場合に比べて、ファン１１から吐出した、周方向一方側Ｃ１へ旋回する風を、滑らかに案内し整流化することができるので、圧力損失を低減し、排気効率を向上できる。
また、図７及び図８に示すように、ガードネット部１７１は、線部１７１ｗ１、１７１ｗ２として、それぞれ略径方向に延在する複数の第１線部１７１ｗ１と、それぞれ周方向に延在する１つ又は複数の第２線部１７１ｗ２と、を有している。ガードネット部１７１の複数の貫通穴１７１ｈは、それぞれ、第１線部１７１ｗ１及び第２線部１７１ｗ２により少なくとも一部が区画されている。これらの貫通穴１７１ｈは、それぞれ略扇状をなしており、周方向に沿って配列されている。なお、第２線部１７１ｗ２の数は、同じ径方向位置にある１列の第２線部１７１ｗ２を１つとしてカウントするものとする。第２線部１７１ｗ２は、図７の例のように径方向における１箇所のみ（１つのみ）設けられてもよいし、あるいは、径方向における複数個所（複数）に設けられてもよい。このようにガードネット部１７１の第１線部１７１ｗ１及び第２線部１７２ｗ２を構成することは、本例のようにガードネット部１７１の外縁１７１ｏを円形とする場合に、各貫通穴１７１ｈの開口面積を同等にしやすくなるので、特に好適である。各貫通穴１７１ｈの開口面積を同等にすることにより、メンテナンス時に屋上換気扇１の部品落下を防止するというガードネット部１７１の機能を向上できるとともに、ガードネット部１７１の強度をその全体にわたって均一化できるので、モータ支持部１７の全体としての強度を向上できる。
ただし、ダクト１０は、円筒形状でなくてもよく、例えば、四角筒形状であってもよい。また、ガードネット部１７１の外縁１７１ｏは、円形でなくてもよく、例えば、四角形状であってもよい。その場合、第２線部１７１ｗ２も四角形状に沿って延在していると好適である。また、ガードネット部１７１は、図の例に限らず、任意の構成を有していてよい。例えば、ガードネット部１７１は、各貫通穴１７１ｈが四角形をなすように、第１線部１７１ｗ１及び第２線部１７１ｗ２どうしが互いに直交する方向に延在していてもよい。また、各貫通穴１７１ｈは、上述した形状に限らず、円形、三角形、長方形等、任意の形状をなしていてよい。
【００３９】
本実施形態においては、図７及び図８に示すように、ガードネット部１７１の複数の貫通穴１７１ｈのうち、第２線部１７１ｗ２より内周側に位置する貫通穴１７１ｈの数が、ガードネット部１７１の複数の貫通穴１７１ｈのうち、第２線部１７１ｗ２より外周側に位置する貫通穴１７１ｈの数よりも、少ない。それに伴い、第２線部１７１ｗ２より内周側に位置する第１線部１７１ｗ１の数が、第２線部１７１ｗ２より外周側に位置する第１線部１７１ｗ１の数よりも、少ない。このような構成により、仮に図１０に示す第２変形例のように、第２線部１７１ｗ２より内周側に位置する貫通穴１７１ｈの数が、第２線部１７１ｗ２より外周側に位置する貫通穴１７１ｈの数と、同じである場合に比べて、各貫通穴１７１ｈの開口面積を、より同等にすることができる。これにより、メンテナンス時に屋上換気扇１の部品落下を防止するというガードネット部１７１の機能を向上できる。また、ガードネット部１７１を通る風の圧力損失を低減し排気効率を向上することができる。
また、本実施形態においては、図７及び図８に示すように、第２線部１７１ｗ２より内周側に位置する第１線部１７１ｗ１が、それぞれ、第２線部１７１ｗ２より外周側に位置する第１線部１７１ｗ１とは、異なる周方向位置に位置している。このような構成により、仮に第２線部１７１ｗ２より内周側に位置する第１線部１７１ｗ１が、それぞれ、第２線部１７１ｗ２より外周側に位置する第１線部１７１ｗ１と、同じ周方向位置に位置している場合に比べて、各貫通穴１７１ｈの開口面積を、より同等にすることができる。
ただし、ガードネット部１７１は、図１０に示す第２変形例のように、ガードネット部１７１の複数の貫通穴１７１ｈのうち、第２線部１７１ｗ２より内周側に位置する貫通穴１７１ｈの数が、ガードネット部１７１の複数の貫通穴１７１ｈのうち、第２線部１７１ｗ２より外周側に位置する貫通穴１７１ｈの数と、同じであってもよい。図１０の例において、第２線部１７１ｗ２より内周側に位置する第１線部１７１ｗ１の数は、第２線部１７１ｗ２より外周側に位置する第１線部１７１ｗ１の数と、同じである。また、第２線部１７１ｗ２より内周側に位置する第１線部１７１ｗ１は、それぞれ、第２線部１７１ｗ２より外周側に位置する第１線部１７１ｗ１と、同じ周方向位置に位置している。
【００４０】
本実施形態では、上述のように、各アーム部１７２にリブ１９が立設されている（図５〜図６）。リブ１９は、アーム部１７２の上面に溶接により固定されている。また、リブ１９の外周端１９ｏは、ダクト１０の内周面に溶接により固定されている。リブ１９が設けられることにより、モータ支持部１７を補強することができる。
ただし、リブ１９の外周端１９ｏは、ダクト１０の内周面に溶接されていなくてもよい。また、リブ１９は、アーム部１７２の下面に立設され、アーム部１７２の下面に溶接により固定されていてもよい。また、リブ１９は、設けられていなくてもよい。
【００４１】
なお、軽量化及び強度確保の観点から、取付枠部材１６を構成する一枚板の板厚は、１．５〜４．５ｍｍであると好適である。
また、軽量化、強度確保、排気効率等の観点から、アーム部１７２の幅Ｗ２は、ガードネット部１７１の線部１７１ｗ１、１７１ｗ２の幅Ｗ１の３〜６倍であると好適である。
なお、各図の例では、ガードネット部１７１の線部１７１ｗ１、１７１ｗ２の幅Ｗ１は、それぞれ均一（延在方向に沿って一定）であり、かつ互いに同じであるが、ガードネット部１７１の線部１７１ｗ１、１７１ｗ２の幅Ｗ１は、それぞれ不均一（延在方向に沿って非一定）及び／又は互いに異なっていてもよい。また、各図の例では、アーム部１７２の幅Ｗ２は、均一であるが、アーム部１７２の幅Ｗ２は、不均一であってもよい。それらの場合、アーム部１７２の幅Ｗ２の最大値は、ガードネット部１７１の線部１７１ｗ１、１７１ｗ２の幅Ｗ１の最大値の３〜６倍であると好適である。
また、排気効率を向上しつつ屋上換気扇１の軸線方向の全長を低減する観点から、ダクト１０の直径Ｄ１０（図２）に対する屋上換気扇１の軸線方向の全長（取付枠部１８の下端から天蓋１４の上端までの軸線方向長さ）Ｈ（図２）の比Ｈ／Ｄ１０は、０．６〜１．２であると、好適である。
【産業上の利用可能性】
【００４２】
本発明の屋上換気扇は、工場や倉庫等の任意の建物の屋根の上に設置されるのに好適なものである。
【符号の説明】
【００４３】
１  屋上換気扇
１０  ダクト
１１  ファン
１２  モータ
１２１  出力軸
１２ｈ  締結穴
１２ｆ  延出部
１３  ブレード
１４  天蓋
１４ｈ  貫通穴
１４１  上壁部
１４２  周壁部
１５  ブレード支持部
１５１  ビーム部
１６  取付枠部材
１７  モータ支持部
１７ｈ  締結穴
１７１  ガードネット部
１７１ｈ  貫通穴
１７１ｗ１  第１線部（線部）
１７１ｗ２  第２線部（線部）
１７１ｏ  外縁
１７２  アーム部
１７３  中央環状部
１７３ｈ  中央穴
１８  取付枠部
１８１  平壁部
１８２  側壁部
１９  リブ
１９ｏ  外周端
２０  支柱
２１  吊フック
２２  フランジ
２２ｈ  貫通穴
２３  受け部材
Ｂ  ボルト
Ｈ  蝶番
Ｎ  ナット
ＲＤ  ファンの回転方向
Ｃ１  周方向一方側
Ｃ２  周方向他方側
Ｏ  中心軸線
【図１】
2020165546.tif 000003
【図２】
2020165546.tif 000004
【図３】
2020165546.tif 000005
【図４】
2020165546.tif 000006
【図５】
2020165546.tif 000007
【図６】
2020165546.tif 000008
【図７】
2020165546.tif 000009
【図８】
2020165546.tif 000010
【図９】
2020165546.tif 000011
【図１０】
2020165546.tif 000012
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
筒状のダクトと、
前記ダクトの内部に配置された、ファンと、
前記ファンを駆動するように構成された、モータと、
前記ダクトに設けられ、前記モータを支持するように構成された、モータ支持部と、
を備えた、屋上換気扇であって、
前記モータ支持部は、
網状のガードネット部と、
前記ガードネット部の線部の幅よりも大きな幅を有するとともに略径方向に延在する、アーム部と、
を有しており、
前記ガードネット部及び前記アーム部は、一枚板から構成されており、かつ、同一平面上にある、屋上換気扇。
【請求項２】
前記屋上換気扇を屋根に取り付けるための取付枠部を、さらに備え、
前記ガードネット部、前記アーム部、及び前記取付枠部は、一枚板から構成されている、請求項１に記載の屋上換気扇。
【請求項３】
前記ダクトは、円筒形状であり、
前記ガードネット部の外縁は、円形であり、
前記ガードネット部は、前記線部として、
略径方向に延在する複数の第１線部と、
周方向に延在する１つ又は複数の第２線部と、
を有しており、
前記ガードネット部は、前記第１線部及び前記第２線部により少なくとも一部が区画された複数の貫通穴を有している、請求項１又は２に記載の屋上換気扇。
【請求項４】
前記複数の貫通穴のうち、前記第２線部より内周側に位置する貫通穴の数は、前記複数の貫通穴のうち、前記第２線部より外周側に位置する貫通穴の数よりも、少ない、請求項３に記載の屋上換気扇。
【請求項５】
前記アーム部に立設されたリブを、さらに備えた、請求項１〜４のいずれか一項に記載の屋上換気扇。
【請求項６】
前記ガードネット部は、前記第２線部を１つのみ有している、請求項４に記載の屋上換気扇。
【請求項７】
請求項１〜６のいずれか一項に記載の屋上換気扇を得るための、屋上換気扇の製造方法であって、
一枚板にレーザ加工又はタレットパンチングプレス加工を施すことにより前記一枚板に複数の貫通穴を形成し、それにより、前記ガードネット部及び前記アーム部を形成する、屋上換気扇の製造方法。